(57)【要約】【課題】透明な白熱電球に代替可能で、かつコスト的に有利な口金付ランプおよび照明器具を提供する。【解決手段】外郭部材をなす本体１１と；本体の一端部側に面配置されて設けられる固体発光素子１２と；本体の一端部側に前記固体発光素子を覆うように設けられると共に、略球体をなす透明体からなり、少なくとも略球体の中心を通る水平線ｙ−ｙ上に位置する内面を光が拡散しない滑らかな略球体をなす面としたカバー部材１３と；本体の他端部側に設けられる口金部材１５と；を具備する口金付ランプ１０を構成する。【選択図】        図１
2011113861.tif 000002
【特許請求の範囲】
【請求項１】
外郭部材をなす本体と；
本体の一端部側に面配置されて設けられる固体発光素子と；
本体の一端部側に前記固体発光素子を覆うように設けられると共に、略球体をなす透明体からなり、少なくとも略球体の中心を通る水平線上に位置する内面を光が拡散しない滑らかな略球体をなす面としたカバー部材と；
本体の他端部側に設けられる口金部材と；
を具備していることを特徴とする口金付ランプ。
【請求項２】
前記カバー部材は、直線透過率が５０％以上の略半球状をなす透明体からなり、固体発光素子は、口金の回転軸線上で、かつカバー部材の中心部近傍に位置して面配置された発光ダイオードからなることを特徴とする請求項１記載の口金付ランプ。
【請求項３】
ソケットが設けられた器具本体と；
器具本体のソケットに装着される請求項１または２記載の口金付ランプと；
を具備していることを特徴とする照明器具。
【発明の詳細な説明】
【技術分野】
【０００１】
本発明は、発光ダイオード等の固体発光素子を光源とした口金付ランプおよび照明器具に関する。
【背景技術】
【０００２】
近年、フィラメント電球に代わって、寿命が長くまた消費電力の少ない固体発光素子である発光ダイオードを光源とした電球形ＬＥＤランプ等の口金付ランプが各種照明器具の光源として採用されるようになってきている。一方、店舗等における照明においては、展示物の状況や屋内の雰囲気に応じて、例えば、フィラメントの光によって蝋燭の光による照明の雰囲気をつくりだすような装飾を行うために透明な白熱電球が用いられている。また、業務用などにおいても、専ら明るさを必要とする照明環境においては、透明な白熱電球が多く使用されている。
【０００３】
しかしながら、従来、発光ダイオードを光源とするＬＥＤランプにおいては、一般的には乳白色のグローブを用いて光を拡散させたＬＥＤランプが製造、販売され、乳白色の白熱電球の代替電球として用いられている。このため、上記のように、店舗の装飾用に用いられている透明な白熱電球に替えて、乳白色のグローブからなるＬＥＤランプを使用した場合には、グローブの中心部でフィラメントが輝くような装飾効果が発揮できず、省エネ形のＬＥＤランプに交換することができない問題が生じている。
【０００４】
また、一方、この種のＬＥＤランプにおいては、白熱電球と同等の配光特性を得るための種々の改良がなされ、例えば、特許文献１（特に、段落番号［００２４］および図３（ｂ））には、固体発光素子の発光面を光学素子の底面から頂点部分に移動させ、頂点部分をグローブの略中心に位置するように配置させて、その頂点部分から点光源として全方向に均等な放射強度で出射できるようにして、白熱電球に近似の配光を実現する電球形ランプが示されている。
【先行技術文献】
【特許文献】
【０００５】
【特許文献１】特開２００９−９８７０号公報
【発明の概要】
【発明が解決しようとする課題】
【０００６】
しかしながら、特許文献１に示される電球形ランプは、段落番号［００２１］に記載されているように、グローブは光拡散剤が塗布されたガラス製、若しくは、拡散性を持つフィラーを混合した透光性樹脂で形成され、乳白色の白熱電球代替用のＬＥＤランプとして構成されたものであり、透明な白熱電球に替えて使用することができない。また、固体発光素子の発光面をグローブの略中心の位置、換言すれば、白熱電球のフィラメントが配置されている位置に移動させることができるが、そのために、透光性樹脂やガラス等で錐体形状に形成された光学素子、すなわち、導光体が必要となってコストが高くなる問題が生じ、また、導光体を用いるために光ロスが発生し、発光効率が低下する問題も生じる。このため、この種、発光ダイオード等の固体発光素子を用いた口金付ランプにおいては、透明な白熱電球に代替可能なランプを如何にして実現するかが重要な課題となっている。
【０００７】
本発明は、上記の課題に鑑みてなされたもので、透明な白熱電球に代替可能で、かつコスト的に有利な口金付ランプおよび照明器具を提供しようとするものである。
【課題を解決するための手段】
【０００８】
請求項１に記載の口金付ランプの発明は、外郭部材をなす本体と；本体の一端部側に面配置されて設けられる固体発光素子と；本体の一端部側に前記固体発光素子を覆うように設けられると共に、略球体をなす透明体からなり、少なくとも略球体の中心を通る水平線上に位置する内面を光が拡散しない滑らかな略球体をなす面としたカバー部材と；本体の他端部側に設けられる口金部材と；を具備していることを特徴とする。
【０００９】
本発明によれば、本体の一端部側に面配置されて設けられる固体発光素子と、略球体をなす透明体からなり、少なくとも略球体の中心を通る水平線上に位置する内面を光が拡散しない滑らかな略球体をなす面としたカバー部材により、透明な白熱電球のフィラメントに近似した輝点を形成することが可能となり、透明な白熱電球に代替可能で、かつコスト的に有利な口金付ランプを構成することができる。
【００１０】
本発明は、面配置された固体発光素子からなる光源の光をカバー部材の内面で反射させ、ランプを側面方向から目視したときに、光源をカバー部材の内部に擬似的に投影させ、透明な白熱電球におけるフィラメントの発光状態に近似した輝点をカバー部材に発生させることにより、透明な白熱電球と同等の発光状態を呈する口金付ランプが構成されるものである。
【００１１】
フィラメントの発光状態に近似した輝点をカバー部材に発生させるには、固体発光素子の光を反射させるカバー部材内面の形状、カバー部材と固体発光素子の大きさ、カバー部材に対する固体発光素子の位置関係等を設定することによって実現させることができる。
【００１２】
フィラメントの発光状態に近似した輝点をカバー部材に発生させるための、口金付ランプは、一般白熱電球の形状に近似させた電球形の口金付ランプ（Ａ形またはＰＳ形）、ボール形の口金付ランプ（Ｇ形）、レフ形の口金付ランプ（Ｒ形）などの口金付ランプが許容される。特に、２０Ｗ以上の透明な白熱電球に相当する口金付ランプが好適である。
【００１３】
また、光源となる固体発光素子は、面配置が可能な発光ダイオード、半導体レーザ、有機ＥＬなどを発光源とした発光素子が許容され、複数個で構成されていることが好ましいが、照明の用途に応じて必要な個数は選択され、例えば、４個程度の素子群を構成し、この群１個、若しくは複数の群をなすように構成してもよい。さらには、１個の固体発光素子で構成されたものであってもよい。固体発光素子は、白色で発光するように構成することが好ましいが、照明器具の用途に応じ、赤色、青色、緑色等でも、さらには各種の色を組み合わせて構成してもよい。
【００１４】
また、固体発光素子は、光源が点状に分散され輝点が散乱した状態で形成されないように、面配置されることが必要で、例えば、平板状をなす基板の表面にＣＯＢ（Ｃｈｉｐ  ｏｎ  Ｂｏａｒｄ）技術を用いて、マトリックス状や千鳥状または放射状など、規則的に一定の順序をもって一部または全体が面状に配置され実装されたものが好ましいが、ＳＭＤ（Ｓｕｒｆａｃｅ  Ｍｏｕｎｔ  Ｄｅｖｉｃｅ）タイプのものを用いて面状に配置され実装して構成されたものであってもよい。
【００１５】
固体発光素子は、面状をなす発光モジュールに構成することが好ましく、薄い平板からなる円形、四角形、六角形などの多角形状、さらには楕円形状等をなす基板に対して面配置されることが許容される。しかし、これら基板の構成には限定されず、フィラメントの発光状態に近似した輝点をカバー部材に発生させることができ、かつ、目的とする配光特性を得ることが可能な全ての面配置のための基板構成が許容される。
【００１６】
カバー部材は、白熱電球など一般照明用電球のバルブと同じ外観形状を有するＡ形、ＰＳ形などの通常涙滴形と呼ばれている形状やＧ形の球形をなすバルブと、さらには、Ｒ形をなすバルブと同形ないし略同形をなす類似形状を。また、カバー部材の全体が完全な球体をなして構成されていることが好ましいが、必ずしも全体が完全な球体をなしていることが必要な条件ではなく、一部が球径の異なる球体で構成されたものであっても、さらには、断面が楕円形をなす球体であってもよい。
【００１７】
カバー部材は、ポリカーボネート、アクリル、ポリエチレンテレフタレート、ポリエチレン等の透明体からなる合成樹脂、若しくは、透明なガラスで構成されることが許容され、要求される特性に応じ無色透明、着色などの手段が施されていてもよい。透明体は、カバー部材の内部に発生させた輝点を、ランプの側面方向から目視できるように、例えば、直線透過率が５０％以上をなして構成されることが許容される。また、カバー部材は、グローブではなく、発光ダイオード等の固体発光素子の充電部等を外部から保護するための透明な保護カバーであってもよい。
【００１８】
また、カバー部材における光が拡散しない滑らかな略球体をなす面は、一部が球径の異なる球体で構成されたものであっても、さらには、断面が楕円形をなす球体であってもよい。また、カバー部材の内面全体が滑らかな略球体をなす面に構成されていることが製造上からも好ましいが、部分的に形成したものでもよい。部分的に形成した場合には、他の部分、例えば、ネック部分は、配光特性向上のために反射膜等の反射手段を形成してもよい。
【００１９】
また、外郭部材をなす本体は、固体発光素子の放熱性を高めるために熱伝導性の良好な金属、例えば、アルミニウム（Ａｌ）、銅（Ｃｕ）、鉄（Ｆｅ）、ニッケル（Ｎｉ）の少なくとも一種を含む金属で形成することが好ましいが、この他に、窒化アルミニウム（ＡｌＮ）、シリコンカーバイト（ＳｉＣ）などの工業材料で構成してもよい。さらには、高熱伝導樹脂等の合成樹脂で構成してもよい。外観形状は、一端部側から他端部側に向けて直径が順次小さくなるような、一般白熱電球におけるネック部分のシルエットに近似させた形状に形成することが、既存照明器具への適用率が向上して好ましいが、ここでは、一般白熱電球に近似させることは条件でなく、限られた特定の外観形状には限定されない。
【００２０】
口金部材は、一般白熱電球が取付けられるソケットに装着可能な全ての口金が許容されるが、一般的に最も普及しているエジソンタイプのＥ１７形やＥ２６形等の口金が好適である。また、エジソンタイプの他、ピン形の端子を有する口金でも、引掛シーリングに使用されるＬ字形の端子を有する口金でもよく、特定の口金には限定されない。
【００２１】
また、半導体発光素子を安定に点灯するための点灯装置は、本体内に設けることが一般白熱電球等の光源をそのまま置き換えられる点で有利であるが、別置きとすることもできる。点灯装置としては、例えば、交流電圧１００Ｖを直流電圧２４Ｖに変換して固体発光素子に定電流の直流電流を供給する点灯回路を構成するものが許容される。また、点灯装置は、固体発光素子を調光するための調光回路や調色回路等を有するものであってもよい。
【００２２】
なお、本発明において、本体の「一端部側」、「他端部側」とは、厳密な意味での端部であってもよいが、互いに相対的な関係での一端部側、他端部側であってもよい。また、略球体の中心を通る水平線は、ランプ軸心を垂直にした状態で、軸心と直交して球体の中心を直視した際における目線と略重なる線を意味している。
【００２３】
請求項２に記載の発明は、請求項１記載の口金付ランプにおいて、前記カバー部材は、直線透過率が５０％以上の略半球状をなす透明体からなり、固体発光素子は、口金の回転軸線上で、かつカバー部材の中心部近傍に位置して面配置された発光ダイオードからなることを特徴とする。本発明によれば、透明な白熱電球のフィラメントに近似した輝点を、より確実に形成することが可能となる。
【００２４】
本発明において、発光ダイオードは、略球体をなすカバー部材の中心から下方に位置させることが、より確実に輝点を形成できることから好ましいが、若干上方に位置してもよく、要は、フィラメントに近似した輝点を形成することが可能なカバー部材における中心部の近傍に発光ダイオードが位置していればよい。
【００２５】
請求項３に記載の照明器具の発明は、ソケットが設けられた器具本体と；器具本体のソケットに装着される請求項１または２記載の口金付ランプと；を具備していることを特徴とする。本発明によれば、請求項１または２記載の口金付ランプを用いることにより、透明な白熱電球に替えて固体発光素子を光源とする省エネ形のランプを用いることができる。
【００２６】
本発明において、照明器具は天井埋込形、直付形、吊下形、さらには壁面取付形等が許容され、器具本体に制光体としてグローブ、セード、反射体などが取付けられるものであっても光源となる口金付ランプが露出するものであってもよい。また、器具本体に１個の口金付ランプを取付けたものに限らず、複数個が配設されるものであってもよい。さらに、オフィス等、施設・業務用の大型の照明器具などを構成してもよい。また、前述の点灯装置を器具本体内に配設するようにしてもよい。
【発明の効果】
【００２７】
請求項１に記載の発明によれば、本体の一端部側に面配置されて設けられる固体発光素子と、略球体をなす透明体からなり、少なくとも略球体の中心を通る水平線上に位置する内面を光が拡散しない滑らかな略球体をなす面としたカバー部材により、透明な白熱電球のフィラメントに近似した輝点を形成することが可能となり、透明な白熱電球に代替可能で、かつコスト的に有利な口金付ランプを提供することができる。
【００２８】
請求項２に記載の発明によれば、カバー部材は、直線透過率が５０％以上の略半球状をなす透明体からなり、固体発光素子は、口金の回転軸線上で、かつカバー部材の中心部近傍に位置して面配置された発光ダイオードからなるので、透明な白熱電球のフィラメントに近似した輝点を、より確実に形成することが可能となり、透明な白熱電球に代替可能で、かつコスト的に有利な口金付ランプを提供することができる。
【００２９】
請求項３に記載の発明によれば、請求項１または２記載の口金付ランプを用いることにより、透明な白熱電球に替えて固体発光素子を光源とする省エネ形のランプを用いることが可能で、かつコスト的に有利な照明器具を提供することができる。
【図面の簡単な説明】
【００３０】
【図１】本発明の実施形態である口金付ランプを示し、（ａ）はカバー部材を取り外した状態を示す上面図、（ｂ）は（ａ）図におけるｂ−ｂ線に沿う断面図。
【図２】同じく口金付ランプにおける図１（ｂ）に相当する断面図で、光線の状態を模式的に示した図。
【図３】同じく口金付ランプを装着した照明器具を、展示台に設置した状態を概略的に示す側面図。
【図４】同じく口金付ランプの変形例を示し、（ａ）は第１の変形例を示す側面図、（ｂ）は第２の変形例を示す側面図、（ｃ）は第３の変形例を示す側面図、（ｄ）は第４の変形例を示す側面図。
【発明を実施するための形態】
【００３１】
以下、本発明に係る口金付ランプおよび照明器具の実施形態について説明する。
【実施例１】
【００３２】
本実施例の口金付ランプは、図１〜図２に示すように、透明な６０Ｗの白熱電球に相当する口金付ランプ１０を構成するもので、外郭部材をなす本体１１、本体の一端部側に設けられる固体発光素子１２、本体の一端部側に固体発光素子を覆うようにして設けられるカバー部材１３、固体発光素子を点灯する点灯装置１４、本体の他端部側に設けられる口金部材１５からなり、固体発光素子１２からなる光源の光をカバー部材１３の内面で反射させ、ランプを側面方向から目視したときに、光源をカバー部材の内部に擬似的に投影させ、透明な白熱電球におけるフィラメントの発光状態に近似した輝点をカバー部材の内部に発生させるように構成したものである。
【００３３】
本体１１は、熱伝導性の良好な金属、本実施例ではアルミニウムで構成された横断面形状が略円形で、一端部側に径の大きな開口部１１ａを他端部側に径の小さな開口部１１ｂを有する中空円筒体の外郭部材をなすように構成する。また、外周面は一端部側から他端部側に向かい順次直径が小さくなる略円錐状のテーパー面をなすように形成し、外観が白熱電球におけるネック部のシルエットに近似させた形状に構成する。外周面には一端部側から他端部側に向かい放射状に突出する多数の放熱フィン１１ｄを一体に形成する。これら構成の本体１１は、例えば、鋳造、鍛造または切削加工等で加工される。
【００３４】
本体１１の一端部側の開口部１１ａには、円形の凹部が形成されるように表面が平面状をなす光源支持部１１ｅが一体に形成され、内部には絶縁ケース２０が嵌めこまれ、この絶縁ケース内に点灯装置１４が収納されると共に、絶縁ケースの端部に口金部材１５が嵌合されることによって、本体１１の他端部側に口金部材１５が設けられる。
【００３５】
固体発光素子１２は、本実施例では発光ダイオード（以下「ＬＥＤ」と称す）で構成し、同一性能を有する複数個が用意され、青色ＬＥＤチップとこの青色ＬＥＤチップにより励起される黄色蛍光体により白色を発光する高輝度、高出力のＬＥＤからなり、一方向、すなわちＬＥＤの光軸に光線が主として放射される。ここで光軸は、ＬＥＤ１２が実装される基板１２ａの面に対して略鉛直方向のことである。
【００３６】
ＬＥＤ１２は、基板１２ａにＣＯＢ技術を用いて実装されることによりＣＯＢモジュールとして構成される。すなわち、基板１２ａは、略円形をなす熱伝導性を有する金属、本実施例ではアルミニウム製の薄い平板で構成する。基板１２ａの一面側、すなわち、表面側には薄い電気絶縁層が積層され、その表面に銅箔からなる配線パターンを形成する。さらに、ＣＯＢ技術を使用して上述した複数のＬＥＤ１２（青色ＬＥＤチップ）を略マトリックス状に面配置して実装し、黄色蛍光体を分散・混合した封止部材が塗布または充填されて略矩形状をなす発光部Ａが構成される。そして、上述した青色ＬＥＤチップ１２から放射される青色光を透過させると共に、青色光によって黄色蛍光体を励起して黄色光に変換し、透過した青色光と黄色光が混光して白色の光が放射されるものである。
【００３７】
上記に構成されたＣＯＢモジュールの基板１２ａは、裏面側の外周縁部が本体１１の平面状をなす光源支持部１１ｅに密着されて熱伝導可能に配設される。図１（ａ）に示すように、基板１２ａのＬＥＤ１１を実装した表面側が外方に面するように配置し、裏面側の外周縁部を、平面状をなす光源支持部１１ｅに載置し、シリコーン樹脂等で構成された電気絶縁シート等（図示せず）を介して、ネジ等の固定手段を用い密着して装着される。上記により、複数のＬＥＤ１２を略矩形状に実装して発光部Ａを構成した平板状の基板１２ａからなるＣＯＢモジュールの光軸が、本体１１の中心軸線ｘ−ｘに略合致し、平面視で略矩形状の発光面を有する発光部Ａが構成される。
【００３８】
カバー部材１３は、ランプのグローブを構成するもので、直線透過率が５０％以上の厚さが薄いポリカーボネートで構成され、一端部側に開口１３ａを有する透明なＰＳ形の白熱電球のシルエットに近似させた略半球状をなし、外面が滑らかな曲面状をなすように形成する。また、カバー部材の内面は、内面全体にわたって光を拡散しない滑らかな略球体をなす面に形成する。そして、カバー部材１３は、図２に示すように、最大径部１３ｂの外形より小径の段部１３ｃを有して開口１３ａを形成し、その開口端部を、発光部Ａを覆うようにして光源支持部１１ｅ内に嵌め込まれて接着剤等で固定される。カバー部材１３は、最大径部１３ｂの外形より小径の段部１３ｃを有して開口１３ａが形成されることによって、半球以上の深さを有する略半球状に構成される。
【００３９】
上記により、カバー部材１３が本体１１に配設されることによって、本体１１の傾斜する外周面が、グローブをなすカバー部材１３の曲面状の外周面に一体的に略連続した外観形状になり、ランプ全体が透明な白熱電球のシルエットに近似させた形状に構成される。
【００４０】
次に、上記に構成され光源となるＬＥＤ１２と透明なカバー部材１３により、透明な白熱電球におけるフィラメントの発光状態に近似した輝点を、透明なカバー部材の内部に発生させるための構成につき説明する。
【００４１】
フィラメントの発光状態に近似した輝点をグローブであるカバー部材に発生させるには、面配置されたＬＥＤ１２の光を反射させるカバー部材１３の内面の形状、カバー部材１３とＬＥＤ１２からなる発光部Ａとの大きさ、カバー部材１３に対する発光部Ａの位置関係等を設定することによって実現させることができる。
【００４２】
図２に示すように、ＬＥＤ１２の光を反射させるカバー部材１３の内面の形状は、少なくとも略球体の中心Ｏを通る水平線ｙ−ｙ上に位置する内面を光が拡散しない滑らかな略球体をなす面となるように構成する。本実施例の場合には、カバー部材１３の内面全体を光が拡散しない滑らかな略球体をなすように構成した。
【００４３】
次に、カバー部材１３とＬＥＤ１２からなる発光部Ａの大きさ、すなわち、球体からなるカバー部材１３の最大径部１３ｂの外形に対して、発光部Ａの最大発光径が約１／２（０．５）以下になるように構成する。本実施例では、カバー部材１３の最大径部１３ｂの外形を約６０ｍｍ、発光部Ａの寸法を縦寸法ａが約１３ｍｍ、横寸法ｂが約１４ｍｍの矩形状に形成し、最大径を約１４ｍｍとし、その比率が１４／６０（約０．２３）に構成した。なお、ＬＥＤ１２は５ｍｍ角の青色ＬＥＤチップを用い、基板１２ａ上にマトリックス状に面配置して、１３×１４ｍｍの矩形状の発光部Ａを構成した。
【００４４】
また、カバー部材１３に対する発光部Ａの位置関係は、発光部Ａが口金１５の回転軸線ｘ−ｘ上（発光部Ａの光軸であり本体１１の中心軸線でもある）で、かつカバー部材１３の中心部の近傍に位置して配置されるように構成する。本実施例では、口金１５の回転軸線ｘ−ｘ上で、発光部Ａがカバー部材１３の中心Ｏから下方に位置するように、換言すれば、ランプを上向き（口金下側、図２の状態）になるように装着した場合に、ランプの最大径部１３ｂが発光部Ａの上側になるように構成した。カバー部材１３の中心Ｏと発光部Ａの上面との間隔寸法ｃは、約１０ｍｍである。
【００４５】
これら構成により、図２において、矢印で示すように、ランプをその側方から目視すると、より詳細には、カバー部材１３の略球体の中心Ｏを通る水平線ｙ−ｙ上から目視すると、水平線ｙ−ｙ上に位置する光が拡散しない滑らかな略球体をなす面ｓを介し、発光部Ａが水平線ｙ−ｙ上で、かつ略球体の中心Ｏの位置に反射され、発光部Ａが浮き上がったような光として投影され、周囲に比して一段と明るくなった輝点Ｋ、すなわち、擬似的な発光部が発生する。特に、光源として輝度の高いＬＥＤを用いているので、一層明るい輝点が形成される。
【００４６】
この輝点は、ランプを側面方向から目視したときに、球体の略中心部に発生することから、透明な白熱電球におけるフィラメントと略同様な位置に形成され、透明な白熱電球と略同様な発光状態を呈する。また、この輝点は、カバー部材１３の球体の中心Ｏを通る水平線ｙ−ｙ上から目視することによって、最大の大きさで鮮明に目視することができるが、水平線ｙ−ｙから上下に多少ずれた位置であっても、大きさや鮮明度がやや低下するが目視することができる。
【００４７】
なお、口金付ランプを構成する点灯装置１４は、図１に示すように、各ＬＥＤ１２の点灯回路を構成する回路部品を実装した平板状の回路基板１４ａからなる。点灯回路は、交流電圧１００Ｖを直流電圧２４Ｖに変換して各ＬＥＤ１２に定電流の直流電流を供給するように構成される。回路基板１４ａは短冊状の縦に長い形状に構成して片面または両面に回路パターンが形成され、その実装面に小形の電解コンデンサ等のリード部品やトランジスタ等のチップ部品等、点灯回路を構成するための複数の小形の電子部品１４ｂが実装され、上述した本体１１の絶縁ケース２０内に、回路基板１４ａを縦方向にして収容される。
【００４８】
また、本体の他端部側に設けられる口金部材１５は、エジソンタイプのＥ２６形を構成する口金で、ねじ山を備えた銅板製の筒状のシェル部１５ａと、このシェル部の下端の頂部に電気絶縁部１５ｂを介して設けられた導電性のアイレット部１５ｃを備えている。シェル部１５ａの開口部が、絶縁ケース２０の端部に外側から嵌め込まれ、シリコーン樹脂やエポキシ樹脂等の接着剤による接着やカシメなどの手段により本体１１との電気絶縁をなして本体１１の他端部側に固定される。シェル部１５ａおよびアイレット部１５ｃには、点灯装置１４における回路基板１４ａの入力端子から導出された入力線（図示せず）が接続される。
【００４９】
上記により、定格消費電力が約８〜９ＷのＬＥＤで、透明な白熱電球６０Ｗに相当する光束を有し、カバー部材１３の内部にフィラメントに近似した輝点Ｋを発生させることができる透明な口金付ランプ１０が構成される。
【００５０】
次に、上記のように構成された透明な口金付ランプ１０を光源とした照明器具の構成を説明する。図３に示すように、３０は店舗等の展示台Ｘに設置され、Ｅ２６形の口金を有する透明な白熱電球を光源としたスタンド形の既存の照明器具で、器具本体３１は、基台３２と、可撓性を有する支柱３３と、支柱の先端部分に設けられたソケット３４で構成されている。このスタンド形の照明器具３０は、透明な白熱電球のフィラメントの光を利用して、展示物Ｙを、あたかも蝋燭の光りで照らす落ち着いた独特な演出効果が出るようにするために使用されている。
【００５１】
上記に構成された透明な白熱電球用の既存のスタンド形の照明器具３０において、省エネや長寿命化などのために透明な白熱電球に替えて、上述したＬＥＤ１２を光源とする電球形の透明な口金付ランプ１０を使用する。すなわち、口金付ランプ１０は口金部材１５をＥ２６形に構成してあるので、上記照明器具のソケット３４にそのまま差し込むことができ、これによって、ＬＥＤ１２を光源とした省エネ形のスタンド形の照明器具３０が構成される。
【００５２】
上記に構成されたスタンド形の照明器具３０に電源を投入すると、ソケット３４から口金付ランプ１０の口金部材１５を介して電源が供給され、点灯装置１４が動作し２４Ｖの直流電圧が出力される。この直流電圧は点灯装置１４の出力端子からＬＥＤ１２に印加され、定電流の直流電流が供給されて点灯する。
【００５３】
この際、展示台Ｘを見ると、透明なランプを側面方向から目視する状態となり、上述したように、カバー部材１３の内部の中心部にはＬＥＤ１２からなる発光部Ａが投影されて、周囲に比べ一段と明るく光る輝点Ｋが発生し、透明な白熱電球のフィラメントが光っている状態に近似した発光状態となる。このため、透明な白熱電球に替えて、本発明の口金付ランプを装着しても、蝋燭の光りで照らす落ち着いた独特な演出効果を十分に作り出すことができる。また、カバー部材１３は透明体で構成されており、ランプ全体の配光特性も透明な白熱電球と変わることがないため、目的とする所定の照度を保つことができる。
【００５４】
同時に、電球形の口金付ランプ１０が点灯されると、ＬＥＤ１２の温度が上昇し熱が発生する。その熱は、熱伝導性の良好なアルミニウムからなる基板１２ａから、基板が直接密着して固定された光源支持部１１ｅに伝達され、アルミニウムからなる本体１１から放熱フィン１１ｄを介して外部に効果的に放熱され、ＬＥＤの発光効率が低下することを防止することができる。ＬＥＤの長寿命化も図ることができる。
【００５５】
以上、本実施例によれば、本体１１の一端部側に面配置されて設けられるＬＥＤ１２と、略球体をなす透明体からなり、少なくとも略球体の中心を通る水平線ｙ−ｙ上に位置する内面を光が拡散しない滑らかな略球体をなす面としたカバー部材１３により、ランプを側面方向から目視すると、カバー部材１３の内部の中心部にＬＥＤ１２からなる発光部Ａが投影され、明るく光る輝点Ｋが発生して透明な白熱電球のフィラメントが光っている状態に近似した発光状態を呈することができる。
【００５６】
このため、透明な白熱電球に代替することができる省エネ形の口金付ランプを提供することができる。特に、直線透過率が５０％以上の透明なカバー部材１３からなる口金付ランプを構成できることから、上述した輝点Ｋを確実に目視できると共に、従来の乳白色の口金付ランプより光ロスの少ない発光効率が優れた口金付ランプを提供することができる。
【００５７】
また、その構成は、従来のように、光源の光をカバー部材の中心部に移動させるための導光体を使用することなく、カバー部材１３と発光部Ａのみで構成することができ、コスト的に有利な透明な白熱電球に代替可能な口金付ランプを提供することができる。また、導光体を用いることなく輝点を形成することができ、光のロスを少なくすることができ一層発光効率に優れた口金付ランプを提供することができる。また、カバー部材１３は透明体で構成されており、ランプ全体の配光特性も透明な白熱電球と変わることがないため、目的とする所定の照度を保つことができる。
【００５８】
特に、発光部Ａは平板状をなす一般的な発光モジュールを用いて、輝点Ｋを発生させるための所定の位置、すなわち、本体１１の平面状をなす光源支持部１１ｅに配置することによって、輝点を発生させることができるので、乳白色の口金付ランプとの部品の共通化を図ることができ、一層コスト的に有利な透明な口金付ランプを提供することができる。
【００５９】
また、本発明の口金付ランプは、ランプ全体が白熱電球のシルエットに近似させた形状に構成したので、既存のダウンライト等の照明器具における反射板等に当たる突出部がないことから、透明な白熱電球に限らず、乳白色の白熱電球が用いられる既存照明器具への適合率も向上させることができる。同時に、照明器具内に配置されたソケット近傍の反射板への光の照射量が減少する問題も生じない。これによって、光源となる口金付ランプ１０の配光が白熱電球の配光に近づくことで、照明器具３０内に配置されたソケット近傍の反射体への光の照射量が増大し、白熱電球用として構成された反射体の光学設計通りの器具特性を略得ることが可能となる。
【００６０】
以上、本実施例において、ＬＥＤ１２の光を反射させるカバー部材１３の内面の形状を、カバー部材１３の内面全体を光が拡散しない滑らかな略球体をなすように構成したが、全体でなく、部分的に設けてもよい。この場合、図２に示すように、略球体の下端内面から球体の半径ｒの略１／２の高さの範囲にわたって形成されることが好ましい。本実施例によれば、半径ｒが約３０ｍｍで、その略１／２である約１５ｍｍの高さの範囲にわたって形成されることが好ましい。
【００６１】
また、発光部Ａを１３×１４ｍｍの矩形状に構成したが、球体からなるカバー部材１３の最大径部１３ｂの外径に対して、発光部Ａの最大発光径が約１／２以下になるような円形の発光部で構成してもよい。また、ＬＥＤは５ｍｍ角のＬＥＤチップを用いて構成したが、５ｍｍ角以上のチップで構成することが鮮明な輝点を発生させるためには好適である。
【００６２】
また、本実施例では、口金１５の回転軸線ｘ−ｘ上で、発光部Ａがカバー部材１３の中心Ｏから下方に位置するように構成し、カバー部材１３の中心Ｏと発光部Ａの上面との間隔寸法ｃ（図２）は、約１０ｍｍとなるように構成したが、約１〜１５ｍｍの間隔寸法で構成することによって輝点を発生させることができる。また、発光部Ａの発光面がカバー部材１３の中心Ｏ上にあっても、さらには、多少１〜２ｍｍ程度上方に位置させても、輝点を発生させることができる。
【００６３】
また、カバー部材１３の形状は、図４（ａ）に示すように、球体の断面が縦に略楕円形をなすように構成してもよい。また、同図（ｂ）に示すように、横に略楕円形をなすように、小形のクリプトン電球に近似させた形状に構成してもよい。さらに、同図（ｃ）に示すように、頂部が球径の異なる球体で構成されたものであってもよい。さらには、同図（ｄ）に示すように、半球体ではなく、全体が略球体をなすボール形に構成してもよい。
【００６４】
また、口金付ランプの本体１１においては、外方に露出する外面部分を、例えば、凹凸、若しくは、梨地状に形成して表面積を大きくしたり、白色塗装や白色アルマイト処理を施して外面部分の熱放射率を高めるようにしてもよい。また、白色塗装や白色アルマイト処理を施した場合には、電球形の口金付ランプ１０をダウンライト等の反射板付照明器具３０に装着して点灯した場合、外面に露出するアルミニウム製の本体１１外面の反射率が高くなり、器具効率を高めることが可能となり、また外観、意匠的にも良好となり商品性を高めることもできる。
【００６５】
なお、変形例を示す図４には、図１〜図３と同一部分に同一符号を付し、詳細な説明は省略した。以上、本発明の好適な実施形態を説明したが、本発明は上述の実施例に限定されることなく、本発明の要旨を逸脱しない範囲内において、種々の設計変更を行うことができる。
【符号の説明】
【００６６】
１０  口金付ランプ
１１  本体
１２  固体発光素子
１３  カバー部材
１４  点灯装置
１５  口金部材
Ｏ    略球体の中心
ｘ−ｘ  口金の回転軸線
ｙ−ｙ  水平線
３０  照明器具
３１  器具本体
３４  ソケット
【図１】
2011113861.tif 000003
【図２】
2011113861.tif 000004
【図３】
2011113861.tif 000005
【図４】
2011113861.tif 000006